(57)【要約】【課題】ユーザ夫々の視覚能力を含む健康情報に応じて文字及び／又は画像を観易く表示することができる情報表示装置、情報表示方法及び情報表示システムを提供する。【解決手段】ユーザ個人の年齢、視力、色覚を含む健康情報を予め得ておき、情報を表示するに際し、年齢に対応させた文字の大きさ、コントラスト（文字の太さ）、文字の色等を設定しなおして表示する。年齢が所定の年齢以上であると判断された場合、文字が大きく、文字を太く表示し、色覚異常であると判断された場合、文字の色を赤く、又は青く表示する。【選択図】図１３
2008225794.tif 000002
【特許請求の範囲】
【請求項１】
文字及び／又は画像を表示装置に表示させる情報表示方法において、
文字及び／又は画像を表示する際の表示形態を年齢、視力、色覚を含む健康情報に対応させて予め設定し、
前記表示装置の利用者の健康情報を取得し、
取得した健康状態に対応した表示形態で前記表示装置に情報を表示させる
ことを特徴とする情報表示方法。
【請求項２】
前記健康情報に含まれる年齢、視力、色覚の内のいずれか一又は複数に対応させて、前記表示形態としての文字の大きさ、文字の色、背景色、コントラスト、画像の大きさ、描画速度の内のいずれか一又は複数を設定する
ことを特徴とする請求項１に記載の情報表示方法。
【請求項３】
前記健康情報に含まれる年齢、視力、色覚の内のいずれか一又は複数に対応させて、前記表示形態としてのかなの割合を設定する
ことを特徴とする請求項２に記載の情報表示方法。
【請求項４】
前記健康情報には病名が含まれており、
前記健康情報に含まれる病名が特定の病名であるか否かを判断し、
特定の病名であると判断した場合、前記病名に対応させて前記表示形態としての文字の大きさ、文字の色、かなの割合、背景色、コントラスト、画像の大きさ、描画速度の内のいずれか一又は複数を設定する
ことを特徴とする請求項１乃至３のいずれかに記載の情報表示方法。
【請求項５】
表示形態と健康情報との対応関係として、健康情報に含まれる年齢、視力、色覚の夫々と、文字の大きさ、文字の色、かなの割合、背景色、コントラスト、画像の大きさ、描画速度との対応関係を用いる
ことを特徴とする請求項１乃至４のいずれかに記載の情報表示方法。
【請求項６】
文字及び／又は画像を表示手段に表示する情報表示装置において、
文字及び／又は画像を表示する際の表示形態を年齢、視力、色覚を含む健康情報に対応させて予め設定する設定手段と、
健康情報を取得する手段と
を備え、
設定した健康情報に対応した表示形態を前記設定手段により設定し、設定した表示形態で前記表示手段に情報を表示させるようにしてあること
を特徴とする情報表示装置。
【請求項７】
文字及び／又は画像を表示手段に表示する情報表示装置と、年齢、視力、色覚を含む健康情報を記録する記録部を備える記録装置とを含む画像表示システムにおいて、
前記記録装置は、
前記健康情報を送信する手段を備え、
前記情報表示装置は、
前記記録装置から送信される健康情報を受信する手段と、
文字及び／又は画像を表示する際の表示形態を、受信した健康情報に対応させて設定する手段と
を備え、
設定した表示形態で前記表示手段に情報を表示させるようにしてあること
を特徴とする情報表示システム。
【発明の詳細な説明】
【技術分野】
【０００１】
本発明は、文字及び／又は画像を表示する情報表示装置に関し、特に、利用者夫々の視覚能力を含む健康情報に応じて文字及び／又は画像を観易く表示することができる情報表示方法、情報表示装置及び情報表示システムに関する。
【背景技術】
【０００２】
近年では、様々な状況で表示手段を備えたコンピュータ装置が使用されている。労働者がＰＣ（Personal Computer）を文房具の一つとして使用し業務を行なうのみならず、サービス提供者が顧客にＰＣ、携帯電話機等のコンピュータ装置を用いて情報を提供する場合もある。
【０００３】
このような場合、ＰＣを使用する労働者、及び情報提供を受ける顧客はコンピュータ装置に接続された表示手段に表示される画面を観る視聴者である。視聴者は夫々趣味趣向が異なるだけでなく、年齢、視力、色覚障害等により表示される文字、画像の見え方が異なる場合がある。したがって、不特定多数からの閲覧を目的とするウェブページ、プレゼンテーション資料等の頒布物では視力、色覚障害等によって文字、画像の見え方が大きく異なることのないようにデザインされている。
【０００４】
また、ウェブページ、携帯電話機では、視力に応じて視聴者が自分で文字の大きさを変えるためのインタフェースを有することが望ましいとされている。
【０００５】
不特定多数の者に見せる目的ではない画面を表示する場合は、視聴者は自己の視力、色覚障害に適した表示に設定を変更することができる。特に個人的に使用するコンピュータ装置では、文字の大きさ、色調、明度、コントラスト等の表示形態を自由に設定することができる。
【０００６】
コンピュータ装置を使用して顧客に情報を提供する例として医療の現場では、紙媒体ではない電子カルテが普及している。電子カルテを使用することにより、医師が使用するＰＣで顧客である患者の健康状態を示す情報を表示することが可能である。特許文献１には、電子カルテから得られる情報の表示／非表示の設定に応じて表示する内容を変更することができる技術が開示されている。
【特許文献１】特開２００３−２５６５７１号公報
【発明の開示】
【発明が解決しようとする課題】
【０００７】
しかしながら、個人的に使用するコンピュータ装置ではない場合、文字の大きさ、色調、明度、コントラスト等の表示形態を視聴者毎に変更する作業は煩雑である。サービス提供者が情報を表わす文字、画像を表示手段に表示させる場合、顧客である視聴者の年齢、視力、色覚障害の有無を知ることができないので、顧客に応じて表示形態を変更することはできない。
【０００８】
特許文献１による場合は、健康状態を示す情報の内容を表示／非表示の設定に応じて必要なもののみ表示することができる。しかし、健康情報を用いてはいるものの、健康情報の内容の表示／非表示を設定することを目的とする発明であって、情報を表示する場合の表示形態については考慮されていない。
【０００９】
本発明は斯かる事情に鑑みてなされたものであり、情報表示装置が、利用者個々の健康情報に基づいて自動的に利用者個々にとって情報を観易く表示することができる情報表示方法、情報表示装置及び情報表示システムを提供することを主たる目的とする。
【００１０】
本発明の他の目的は、利用者個々の年齢による目の特性、視力、色覚の特性に対応させて文字の大きさ、文字の色、コントラスト等の表示形態を情報表示装置で設定することにより、自動的に利用者個々の視覚能力に応じて文字及び／画像を表示して利用者個々にとって観易く情報を表示することができる情報表示方法を提供することにある。
【００１１】
本発明の他の目的は、情報表示装置で文章からなる情報を表示する際の文字に対し、利用者個々の年齢、視力、色覚の特性に対応させて、漢字に対するかなの割合を設定することによって、自動的に利用者の特性に応じて利用者個々にとって観易く情報を表示することができる情報表示方法を提供することにある。
【００１２】
本発明の他の目的は、利用者個人の病歴が視覚能力に関する場合は、情報表示装置がその視覚能力に応じて文字及び／画像を表示し、利用者個々にとって情報を観易く表示することができる情報表示方法を提供することにある。
【００１３】
本発明の他の目的は、予め記録された健康情報とその内容に応じた文字の大きさ、色等の表示形態との対応関係に従って、情報表示装置が対応関係を参照することによって利用者個々に応じて多様な表示形態で情報を表示することができ、利用者個々にとって情報を観易く表示することができる情報表示方法を提供することにある。
【課題を解決するための手段】
【００１４】
第１発明に係る情報表示方法は、文字及び／又は画像を表示装置に表示させる情報表示方法において、文字及び／又は画像を表示する際の表示形態を年齢、視力、色覚を含む健康情報に対応させて予め設定し、前記表示装置の利用者の健康情報を取得し、取得した健康状態に対応した表示形態で前記表示装置に情報を表示させることを特徴とする。
【００１５】
第２発明に係る情報表示方法は、前記健康情報に含まれる年齢、視力、色覚の内のいずれか一又は複数に対応させて、前記表示形態としての文字の大きさ、文字の色、背景色、コントラスト、画像の大きさ、描画速度の内のいずれか一又は複数を設定することを特徴とする。
【００１６】
第３発明に係る情報表示方法は、前記健康情報に含まれる年齢、視力、色覚の内のいずれか一又は複数に対応させて、前記表示形態としてのかなの割合を設定することを特徴とする。
【００１７】
第４発明に係る情報表示方法は、前記健康情報には病名が含まれており、前記健康情報に含まれる病名が特定の病名であるか否かを判断し、特定の病名であると判断した場合、前記病名に対応させて前記表示形態としての文字の大きさ、文字の色、かなの割合、背景色、コントラスト、画像の大きさ、描画速度の内のいずれか一又は複数を設定することを特徴とする。
【００１８】
第５発明に係る情報表示方法は、表示形態と健康情報との対応関係として、健康情報に含まれる年齢、視力、色覚の夫々と、文字の大きさ、文字の色、かなの割合、背景色、コントラスト、画像の大きさ、描画速度との対応関係を用いることを特徴とする。
【００１９】
第６発明に係る情報表示装置は、文字及び／又は画像を表示手段に表示する情報表示装置において、文字及び／又は画像を表示する際の表示形態を年齢、視力、色覚を含む健康情報に対応させて予め設定する設定手段と、健康情報を取得する手段とを備え、設定した健康情報に対応した表示形態を前記設定手段により設定し、設定した表示形態で前記表示手段に情報を表示させるようにしてあることを特徴とする。
【００２０】
第７発明に係る情報表示システムは、文字及び／又は画像を表示手段に表示する情報表示装置と、年齢、視力、色覚を含む健康情報を記録する記録部を備える記録装置とを含む画像表示システムにおいて、前記記録装置は、前記健康情報を送信する手段を備え、前記情報表示装置は、前記記録装置から送信される健康情報を受信する手段と、文字及び／又は画像を表示する際の表示形態を、受信した健康情報に対応させて設定する手段とを備え、設定した表示形態で前記表示手段に情報を表示させるようにしてあることを特徴とする。
【００２１】
第１発明、第６発明及び第７発明では、表示装置で情報が表示されるに際し、予め年齢、視力、色覚を含む健康情報が取得され、表示装置での文字及び／又は画像を表示する際の表示形態が、予め得られた健康情報の内容に自動的に対応されて設定され、表示装置では設定された表示形態で情報が表示される。
【００２２】
第２発明では、表示装置で情報が表示されるに際し、予め取得された健康情報に含まれる年齢、視力、色覚の内のいずれか一又は複数に対応させて、文字の大きさ、文字の色、背景色、コントラスト、画像の大きさ、描画速度の内のいずれか一又は複数が表示装置での表示形態として設定される。
【００２３】
第３発明では、表示装置で情報が表示されるに際し、予め取得された健康情報に含まれる年齢、視力、色覚の内のいずれか一又は複数に対応させて、表示装置での文字を表示する際のかなの割合が表示形態として設定される。
【００２４】
第４発明では、予め取得された健康情報には、利用者の病歴の病名が含まれている。表示装置で情報が表示されるに際し、予め得られた健康情報に含まれる病名が特定の病名であるか否かが判断される。特定の病名が含まれていると判断された場合、その病名に応じた表示形態として文字の大きさ、文字の色、かなの量、背景色、コントラスト、画像の大きさ、描画速度の内のいずれか一又は複数が設定される。
【００２５】
第５発明では、健康情報に含まれる年齢、視力、色覚と、文字及び／又は画像が表示される際の文字の大きさ、文字の色、かなの割合、背景色、コントラスト、描画速度との対応関係に基づいて、情報表示装置で情報が表示される際、利用者の健康情報に対応する表示形態が設定される。
【発明の効果】
【００２６】
第１発明、第６発明及び第７発明による場合、予め取得された利用者の健康情報に基づいて、表示装置での文字及び／又は画像を表示する際の表示形態を設定することにより、自動的に利用者個々にとって情報を観易く表示することができる。
【００２７】
第２発明による場合、情報を表示するに際し、予め取得られた利用者の健康情報、特に年齢、視力、色覚等に対応させて、文字の大きさ、文字の色、背景色、コントラスト、画像の大きさ、描画速度等の表示装置での表示形態を設定し、設定した表示形態で表示装置に文字及び／又は画像を表示させる。これにより、利用者個人の健康情報、特に視覚能力に適した情報の表示を自動的に行なうことができる。したがって、情報表示装置は自動的に利用者個々の視覚能力に応じて文字及び／画像を表示し、利用者個々にとって情報を観易く表示することができる。
【００２８】
第３発明による場合、予め取得された健康情報、特に年齢、視力、色覚等に応じて、漢字に対するかなの割合を設定し、表示装置で文章からなる情報を表示するに際し、設定したかなの割合で文字を表示する。これにより、自動的に利用者個々にとって情報を観易く表示することができる。
【００２９】
第４発明による場合、利用者個人の視力、色覚等の視覚能力に影響する病歴に応じて表示形態が変更される。これにより、情報表示装置で利用者の病歴に関する視覚能力に応じた表示形態で文字及び／又は画像を表示することができ、利用者個々にとって情報を観易く表示することができる。
【００３０】
第５発明による場合、予め取得された健康情報と表示形態との対応関係に基づいて、特に年齢、視力、色覚夫々に対応する文字の大きさ、文字の色、かなの割合、背景色、コントラスト、描画速度が表示形態として設定される。これにより表示装置で利用者個人の健康情報に対応する表示形態で文字及び／又は画像を表示することができ、利用者個々に応じて情報を観易く表示することができる。健康情報と表示形態との対応関係を詳細に設定しておくことにより、情報表示装置は利用者個々に応じて多様な表示形態で情報を表示することができる。
【発明を実施するための最良の形態】
【００３１】
以下本発明をその実施の形態を示す図面に基づき具体的に説明する。
【００３２】
（実施の形態１）
実施の形態１では、本発明に係る情報表示方法をＰＣ（Personal Computer）に実施させて情報表示装置として動作させる場合を例に説明する。
【００３３】
図１は、実施の形態１における情報表示装置１の構成を示すブロック図である。情報表示装置１は、ＰＣによって構成されており、ＣＰＵ等であり各構成部の動作を制御する制御部１０と、ハードディスク等である記録部１１と、ＲＡＭ等のメモリを有する一時記憶領域１２と、ＩＣカードリーダ等を有する読取部１３と、液晶パネル等を有する表示部１４とを備える。
【００３４】
記録部１１には、ＰＣに本発明に係る情報表示方法を実施させるための制御プログラム１Ｐが記録されている。制御部１０は、記録部１１から制御プログラム１Ｐを一時記録領域に読み出して実行することにより、各構成を制御してＰＣを情報表示装置１として動作させる。
【００３５】
また、記録部１１には、制御部１０が表示部１４により文字及び／又は画像を表示させる際の表示形態の各要素のパラメータが記録されている。記録部１１に記録してある表示形態については、後述において詳細に説明する。
【００３６】
一時記憶領域１２には、制御部１０の処理によって一時的に発生する各種情報が記憶される。
【００３７】
読取部１３は、公知のＩＣカードリーダを有している。ＩＣカードには健康情報が記録されるようにしてある。制御部１０は、読取部１３の機能によりユーザの健康情報が記録されたＩＣカードから健康情報を取得することができる。ＩＣカード及びＩＣカードリーダは、接触型／費接触型を問わない。なお、読取部１３は、健康情報が記録された磁気カード、ＲＦＩＤ対応端末、フラッシュメモリ、フレキシブルディスク、ＣＤ−ＲＯＭ、ＤＶＤ等記録媒体から健康情報を取得することができればよい。
【００３８】
表示部１４は液晶パネルを有しており、制御部１０は表示部１４に文字及び／又は画像を表示させることができる。
【００３９】
次に、情報表示装置１の記録部１１に記録されている表示部１４に文字及び／又は画像を表示させる際の表示形態について説明する。
【００４０】
図２は、実施の形態１における情報表示装置１の記録部１１に記録されている表示形態の内容例を示す説明図である。図２に説明図に示すように表示形態として、文字及び／又は画像を表示させる際の表示形態の各要素に対するパラメータが記録されている。
【００４１】
図２の説明図に示すように、表示形態として文字の大きさ（サイズ）、文字のコントラスト、文字の色（色調）、描画速度、文字に対するかな補助の程度が段階的に設定されている。文字のサイズは１２Ｐ（ポイント）から１６Ｐ（ポイント）の３段階に設定されており、識別番号３、４、５で識別されている。即ち、文字のサイズに対し識別番号３が健康情報に対応付けられている場合、文字を１２Ｐ（ポイント）で表示する。実施の形態１では、識別番号の数値が大きいほど文字のサイズが大きく設定されている。なお、識別番号の数字の大きさの変化は特に限定されないのは勿論である。
【００４２】
文字のコントラストは文字の太さで段階的に設定されており、夫々識別番号で識別されている。識別番号の数値が大きいほど、強いコントラスト、即ち文字の太さが太く設定されている。
【００４３】
文字の色は、青、青緑、黒、オレンジ、赤が段階的に設定されており、夫々識別番号で識別されている。識別番号の数値が大きいほど青から赤へ変化するように設定されている。
【００４４】
描画速度は、表示部１４で文字をスクロールさせて表示する際に単位時間（秒）当りに動く距離を段階的に設定する。識別番号の数値が大きいほど、文字のスクロール速度が遅くなるように設定されている。
【００４５】
文字に対するかな補助は、辞書が段階的に設定されており、夫々識別番号で識別されている。標準的な漢字（例えば常用漢字）を表示するようにしてある辞書１と、所定の基準（例えば小学６年生既習程度）未満の漢字は「かな」に変換する又は振り仮名を振って表示するようにしてある辞書２と、文字をほぼかなで表示するようにしてある辞書３とが区別されて記録されており、制御部１０は、文字を表示する際に設定された辞書を使用して必要に応じてかなに変換して表示する。なお、識別番号の数値が大きいほど漢字の難易度が低く設定されている。
【００４６】
次に、情報表示装置１の制御部１０が読取部１３により取得した健康情報に対応させて図２に示した表示形態を設定する処理について説明する。
【００４７】
図３は、実施の形態１における情報表示装置１の制御部１０が、取得した健康情報に対応させて表示形態を設定する処理手順の例を示すフローチャートである。情報表示装置１の制御部１０は、例えばユーザが本発明に係る情報表示装置１を使用するために、自身が携帯する健康情報を記録したＩＣカードを情報表示装置１の読取部１３にそのＩＣカードが読み込まれたときに文字及び／又は画像を表示する際、以下の処理を実行する。
【００４８】
制御部１０は、まず図２の説明図に示した表示形態の各要素のパラメータを全て標準に設定する（ステップＳ１１）。即ち、表示形態の各要素の対する全ての識別番号を３に設定する。
【００４９】
制御部１０は、読取部１３により健康情報を取得する（ステップＳ１２）。次に制御部１０は、取得した健康情報に含まれる年齢に対応させた表示形態の設定処理を実行し（ステップＳ１３）、同様に含まれる視力に対応させた表示形態の設定処理を実行する（ステップＳ１４）。制御部１０は、さらに色覚に対応させた表示形態の設定処理を実行し（ステップＳ１５）、ステップＳ１２からステップＳ１５までで設定した表示形態に従って文字及び／又は画像を表示し（ステップＳ１６）、処理を終了する。
【００５０】
情報表示装置１の制御部１０が、表示形態を設定する処理手順は、上述に示した順には限らない。例えばＩＣカードから読取部１３により健康情報を取得する都度、ステップＳ１１、及びステップＳ１３からステップＳ１５までの設定処理を行ない、次にＩＣカードから読取部１３により健康情報を取得するまで、設定された表示形態で文字及び／又は画像を表示するようにしてもよい。
【００５１】
次に、図３のフローチャートに示した表示形態の各設定処理（ステップＳ１３からステップＳ１５まで）の詳細について説明する。
【００５２】
図４は、実施の形態１における情報表示装置１の制御部１０が、取得した健康情報に含まれる年齢に対応させて表示形態を設定する処理手順の例を示すフローチャートである。図４のフローチャートに示す処理手順は、図３のフローチャートの内のステップＳ１３の処理の詳細である。
【００５３】
情報表示装置１の制御部１０は、取得した健康情報に含まれる年齢が６歳以下であるか否かを判断する（ステップＳ２１）。制御部１０は、年齢が６歳以下であると判断した場合（Ｓ２１：ＹＥＳ）、表示形態の各パラメータの内の文字の大きさを識別番号４に設定し（ステップＳ２２）、かな補助を識別番号５に設定し（ステップＳ２３）、処理を図３のフローチャートに示した処理手順へ戻す。
【００５４】
制御部１０は、年齢が７歳以上であると判断した場合（Ｓ２１：ＮＯ）、取得した健康情報に含まれる年齢が５０歳以下であるか否かを判断する（ステップＳ２４）。制御部１０は、年齢が５０歳以下であると判断した場合（Ｓ２４：ＹＥＳ）、何もせず処理を図３のフローチャートに示した処理手順へ戻す。
【００５５】
制御部１０は、年齢が５１歳以上であると判断した場合（Ｓ２４：ＮＯ）、取得した健康情報に含まれる年齢が８１歳以上であるか否かを判断する（ステップＳ２５）。制御部１０は、年齢が８１歳未満であると判断した場合（Ｓ２５：ＮＯ）、表示形態の各パラメータの内の文字の大きさを識別番号４に設定し（ステップＳ２６）、コントラストを識別番号４に設定し（ステップＳ２７）、処理を図３のフローチャートに示した処理手順へ戻す。
【００５６】
制御部１０は、年齢が８１歳以上であると判断した場合（Ｓ２５：ＹＥＳ）、表示形態の各パラメータの内の文字の大きさを識別番号５に設定し（ステップＳ２８）、コントラストを識別番号５に設定し（ステップＳ２９）、処理を図３のフローチャートに示した処理手順へ戻す。
【００５７】
図５は、実施の形態１における情報表示装置１の制御部１０が、取得した健康情報に含まれる視力に対応させて表示形態を設定する処理手順の例を示すフローチャートである。図５のフローチャートに示す処理手順は、図３のフローチャートの内のステップＳ１４の処理の詳細である。
【００５８】
情報表示装置１の制御部１０は、取得した健康情報に含まれる視力が遠視に相当するか否かを判断する（ステップＳ３１）。制御部１０は、視力が遠視に相当すると判断した場合（Ｓ３１：ＹＥＳ）、表示形態の各パラメータの内の文字の大きさを識別番号４に設定し（ステップＳ３２）、処理を図３のフローチャートに示した処理手順へ戻す。
【００５９】
制御部１０は、視力が遠視に相当しないと判断した場合（Ｓ３１：ＮＯ）、取得した健康情報に含まれる視力が近視に相当するか否かを判断する（ステップＳ３３）。制御部１０は、視力が近視に相当すると判断した場合（Ｓ３３：ＹＥＳ）、表示形態の各パラメータの内の文字の大きさを識別番号４に設定し（ステップＳ３４）、処理を図３のフローチャートに示した処理手順へ戻す。
【００６０】
制御部１０は、視力が近視に相当しないと判断した場合（Ｓ３３：ＮＯ）、取得した健康情報に含まれる視力が乱視に相当するか否かを判断する（ステップＳ３５）。制御部１０は、視力が乱視に相当すると判断した場合（Ｓ３５：ＹＥＳ）、表示形態の各パラメータの内のコントラストを識別番号４に設定し（ステップＳ３６）、処理を図３のフローチャートに示した処理手順へ戻す。
【００６１】
制御部１０は、視力が乱視に相当しないと判断した場合（Ｓ３５：ＮＯ）、取得した健康情報に含まれる視力が老眼に相当するか否かを判断する（ステップＳ３７）。制御部１０は、視力が老眼に相当すると判断した場合（Ｓ３７：ＹＥＳ）、表示形態の各パラメータの内の文字サイズを識別番号５に設定し（ステップＳ３８）、コントラストを識別番号５に設定し（ステップＳ３９）、処理を図３のフローチャートに示した処理手順へ戻す。
【００６２】
なお、上述のように図５のフローチャートに示した処理手順は、図４のフローチャートに示した処理手順の内で年齢が７歳以上であって（Ｓ２１：ＮＯ）、５０歳以下である（Ｓ２４：ＹＥＳ）と判断された場合にのみ進むようにしてもよい。年齢に対応させて表示形態を設定したにも拘わらず、その結果を無視して視力に対応させて表示形態を設定することを回避するためである。
【００６３】
図６は、実施の形態１における情報表示装置１の制御部１０が、取得した健康情報に含まれる色覚に対応させて表示形態を設定する処理手順の例を示すフローチャートである。図６のフローチャートに示す処理手順は、図３のフローチャートの内のステップＳ１５の処理の詳細である。
【００６４】
情報表示装置１の制御部１０は、取得した健康情報に含まれる色覚が異常であるか否かを判断する（ステップＳ４１）。制御部１０は、色覚が正常であると判断した場合（Ｓ４１：ＮＯ）、処理を終了し、図３のフローチャートに示した処理手順へ戻す。
【００６５】
制御部１０は、色覚が異常であると判断した場合（Ｓ４１：ＹＥＳ）、表示形態の各パラメータの内の色調を識別番号５に設定し（ステップＳ４２）、コントラストを識別番号５に設定し（ステップＳ４３）、処理を終了して図３のフローチャートに示した処理手順へ戻す。
【００６６】
上述のような処理を実行することによって、本発明に係る情報表示方法を実施する情報表示装置１は、ユーザ個人に対して取得した健康情報の内容に対応させた表示形態で文字及び／又は画像を表示することができる。したがって、文字及び／又は画像をユーザ個人にとって観易く表示することができる。
【００６７】
実施の形態１に示した情報表示装置１を、業務で使用されるＰＣに適用することにより、業務効率の向上を図ることもできる。この場合、ＰＣのオペレータが携帯するＩＣカードは健康保険証として使用することができるＩＣカードであり、検査記録、診療記録等が記録されるようにする。この場合、本発明に係る情報表示装置１であるＰＣは、オペレータが携帯しているＩＣカードから健康情報を読み出して取得し、オペレータの健康情報に対応させてＰＣの画面に表示させる文字及び／又は画像に対し、文字の大きさの変更、文字の色、背景色の変更等を行なう。
【００６８】
このようなＰＣを業務で使用できるようにすることによって、業務効率のみならず従業者の視覚的能力に柔軟に適用させた職場環境の向上を図ることもできる。
【００６９】
なお、実施の形態１では、ユーザの健康情報を、その健康情報が記録されたＩＣカードから読取部１３により取得する構成とした。しかしながら、本発明はこれに限らず、ユーザの識別情報の入力を受け付け、入力された識別情報に対応する健康情報を、識別情報に対応付けられた健康情報のデータベースから取得する構成でもよい。この構成で本発明の情報表示方法を実現する場合、健康情報のデータベースを情報表示装置１自身の記録部１１に記録する構成か、他の記録装置に記録する構成により、情報表示装置１は受け付けたユーザの識別情報を記録装置へ送信してそれに応じて送信される健康情報を受信して取得するようにしてもよい。
【００７０】
（実施の形態２）
実施の形態１では、記録部１１には図２に示したような表示形態に対する各パラメータを記録しておき、健康情報を取得した場合に健康情報に含まれる年齢、視力、色覚に対応させて表示形態に対する各パラメータを設定し、情報表示装置１は、健康情報に対応させた表示形態で文字及び／又は画像を表示する構成とした。これに対し、以下に示す実施の形態２では、情報表示装置１は記録部１１に健康情報と、制御部１０が表示部１４により文字及び／又は画像を表示させる際の表示形態との対応関係を示す対応テーブルを記録する構成とする。
【００７１】
実施の形態２では、健康情報として病歴をも含む構成とし、健康情報に更に詳細に対応させた表示形態で文字及び／又は画像を表示する。
【００７２】
図７は、実施の形態２における情報表示装置１の構成を示すブロック図である。なお、実施の形態２における情報表示装置１の構成は、記録部１１に記録されている対応テーブル１１１及び対応テーブル１１１を使用した処理の詳細以外について実施の形態１と同様の構成である。そのため情報表示装置１の詳細な説明を省略し、同一の符号を使用して以下に説明する。
【００７３】
実施の形態２における情報表示装置１の記録部１１には、健康情報と、制御部１０が表示部１４により文字及び／又は画像を表示させる際の表示形態との対応関係を示す対応テーブル１１１が記録されている。制御部１０は記録部１１に記録されている対応テーブル１１１を参照して、健康情報に対応する表示形態を取得することができる。
【００７４】
図８及び図９は、実施の形態２における情報表示装置１の記録部１１に記録されている対応テーブル１１１の内容例を示す説明図である。図８は、健康情報に含まれる年齢に対応させて設定する表示形態の各パラメータの内容例を示している。図９は、健康情報に含まれる病歴の病名に対応させて設定する表示形態の各パラメータの内容例を示している。
【００７５】
情報表示装置１の制御部１０は、図８に示すような対応テーブル１１１を使用して、健康情報に含まれる年齢に対応させて表示形態を設定することができる。
【００７６】
図８の説明図に示すように、健康情報に含まれる年齢について６歳以下に対しては、文字の大きさ（サイズ）として識別番号４、コントラストとして識別番号３、色調として識別番号３、描画速度として識別番号５、かな補助として識別番号５が対応付けられて記録されている。
【００７７】
また、情報表示装置１の制御部１０は、図９に示すような対応テーブル１１１を使用して、取得した健康情報に対応テーブル１１１に記録されている病名が含まれている場合は、その病名に対応させて表示形態を設定することができる。
【００７８】
図９の説明図に示した対応テーブル１１１には例えば、病歴として白内障の病名に、文字の大きさ（サイズ）として識別番号４、コントラストとして識別番号３、色調として識別番号３、描画速度として識別番号４、かな補助として識別番号３が対応付けられて記録されている。
【００７９】
また、病歴として色覚異常の病名には、文字の大きさ（サイズ）として識別番号３、コントラストとして識別番号５、色調として識別番号５、描画速度として識別番号４、かな補助として識別番号３が対応付けられて記録されている。
【００８０】
図２、図８及び図９の説明図に示したような表示形態と、健康情報の内容に対応付けられた表示形態との対応テーブル１１１を用い、情報表示装置１の制御部１０が、取得した健康情報に対応させた表示形態を設定する処理について説明する。
【００８１】
図１０は、実施の形態２における情報表示装置１の制御部１０が、取得した健康情報に対応させて表示形態を設定する処理手順の例を示すフローチャートである。情報表示装置１の制御部１０は、例えばユーザが本発明に係る情報表示装置１を使用するために、自身が携帯する健康情報を記録したＩＣカードを情報表示装置１の読取部１３にそのＩＣカードを読み込ませ、ＩＣカードが読み込まれたことに起点を発して文字及び／又は画像を表示する際、以下の処理を実行する。
【００８２】
制御部１０は、まず図２の説明図に示した表示形態の各要素のパラメータを全て標準に設定する（ステップＳ５１）。即ち、表示形態の各要素の対する全ての識別番号を３に設定する。
【００８３】
制御部１０は、読取部１３により健康情報を取得し（ステップＳ５２）、取得した健康情報に対して図８及び図９に示した対応テーブル１１１を参照して対応する表示形態を読み出す（ステップＳ５３）。
【００８４】
制御部１０は、ステップＳ５３で読み出した表示形態に従って文字及び／又は画像を表示し（ステップＳ５４）、処理を終了する。
【００８５】
次に、上述のような処理によって情報表示装置１の表示部１４に、ユーザ個人の健康情報に対応させた表示形態で文字及び／画像が表示される例を図８及び図９の内容例に含まれる具体例を用いて説明する。
【００８６】
例えば、情報表示装置１は、健康情報に含まれる年齢が６歳以下である場合、図８の説明図に示した対応テーブル１１１を参照し、文字の大きさを識別番号４、コントラストを識別番号３、色調を識別番号３、描画速度を識別番号５、かな補助を識別番号５に設定する。これにより、ユーザが６歳である場合、情報表示装置１の表示部１４には、文字の大きさが「１４Ｐ（ポイント）」、文字の太さが「中」、文字の色が「黒」、描画速度が「１ｃｍ／ｓ」、かな補助が「辞書３」（ほぼひらがな）で文字及び／又は画像が表示される。
【００８７】
また、情報表示装置１は、取得した健康情報に病歴として白内障の病名が含まれていたとき、図９の説明図に示した対応テーブル１１１を参照し、情報表示装置１の制御部１０は、白内障の病名に対応付けられている表示形態、即ち文字の大きさを識別番号４、コントラストを識別番号３、色調を識別番号３、描画速度を識別番号４、かな補助を識別番号３に設定する。これらのパラメータは図２の説明図に示した表示形態の各要素に対応している。したがって、白内障の病歴を持つユーザの健康情報がＩＣカードが読取部１３により読み出された場合、情報表示装置１の表示部１４には、文字の大きさが「１４Ｐ（ポイント）」、文字の太さが「中」、文字の色が「黒」、描画速度が「２ｃｍ／ｓ」、かな補助が「辞書１」（常用漢字使用）で文字及び／又は画像が表示される。
【００８８】
情報表示装置１は、取得した健康情報に色覚異常の病名が含まれている場合、情報表示装置１の制御部１０は、図９の説明図に示した対応テーブル１１１を参照し、文字の大きさを識別番号３、コントラストを識別番号５、色調を識別番号５、描画速度を識別番号４、かな補助を識別番号３に設定する。したがって、色覚異常の病歴を持つユーザの健康情報がＩＣカードの読取部１３により取得された場合、情報表示装置１の表示部１４には、文字の大きさが「１２Ｐ（ポイント）」、文字の太さが「太」、文字の色が「赤」、描画速度が「２ｃｍ／ｓ」、かな補助が「辞書１」（常用漢字使用）で文字及び／又は画像が表示される。
【００８９】
なお、取得した健康情報に図９の説明図に示した病名が複数含まれている場合、情報表示装置１はいずれの病名に対応する表示形態を優先的に設定するかを定めておいてもよい。また、情報表示装置１は、複数含まれる病名に対応する表示形態の各パラメータについて夫々、最高の値を示す識別番号を設定するようにしてもよい。例えば図９の説明図に示した対応テーブル１１１に対し、取得した健康情報に、屈折異常（近視）及び屈折異常（乱視）がいずれも病歴として含まれていた場合、夫々に対する各パラメータの識別番号について、値が高いものを採用するようにしてもよい。屈折異常（近視）に対しては、文字の大きさ（サイズ）が識別番号４、コントラストが識別番号３、色調が識別番号３、描画速度が識別番号３、かな補助が識別番号３が対応しており、屈折異常（乱視）に対しては文字の大きさ（サイズ）が識別番号３、コントラストが識別番号４、色調が識別番号３、描画速度が識別番号４、かな補助が識別番号３が対応している。したがって、この場合、情報表示装置１の制御部１０は、各パラメータに対して値が高いものを採用し、文字の大きさ（サイズ）を識別番号４、コントラストを識別番号４、色調を識別番号３、描画速度を識別番号４、かな補助を識別番号３に設定する。
【００９０】
このように、情報表示装置１が上述のような構成の処理を実行することにより、本発明に係る情報表示方法を実施する情報処表示装置は、ユーザ個人にとって情報を観易く表示することができる。
【００９１】
実施の形態１と同様に、実施の形態２に示した情報表示装置１を業務で使用されるＰＣに適用することにより、業務効率の向上を図ることもできる。このようなＰＣを業務で使用できるようにすることによって、業務効率のみならず従業者の視覚的能力に柔軟に適用させた職場環境の向上を図ることもできる。
【００９２】
実施の形態２では、健康情報と表示形態との対応関係の対応テーブル１１１を情報表示装置１自身の記録部１１に記録しておく構成とした。しかしながら、本発明はこれに限らず、対応テーブル１１１を他の記録装置に記録しておき、情報表示装置１は取得した健康情報を記録装置へ送信してそれに応じて送信される表示形態を示す情報を受信し、それに従って文字及び／又は画像を表示する構成でもよい。この場合、記録部１１に上述のユーザの識別情報毎に健康情報を記録しておき、情報表示装置１はユーザの識別情報を送信して、記録装置がその識別情報を受信し、識別情報に対する健康情報に対応付けられている表示形態の情報を送信する構成でもよい。
【００９３】
（実施の形態３）
実施の形態３では、本発明に係る情報表示方法を実施する情報表示装置１を、カルテの内容を提示するために使用されるＰＣに適用し、電子カルテの内容を提示するためのシステムに適用した場合を例に挙げて説明する。
【００９４】
図１１は、実施の形態３における情報表示システムの構成を示すブロック図である。情報表示システムは、カルテの内容の情報を実際に表示するＰＣである情報表示装置１と、電子的にカルテが記録された記録装置２と、情報表示装置１及び記録装置２を接続する通信線３と含んで構成される。
【００９５】
情報表示装置１は、カルテの内容を表示するために、いずれのユーザに対応するカルテを表示するのかをユーザの識別情報の入力を受け付け、ユーザの識別情報が入力された場合は、ユーザの識別情報を記録装置２へ送信する。記録装置２は、情報表示装置１から送信されたユーザの識別情報を受信し、受信したユーザの識別情報に対応するカルテを読み出して情報表示装置１へ送信する。情報表示装置１は、記録装置２から送信されたカルテの内容を表示する。通信線３で接続された情報表示装置１と記録装置２とにより医者、看護士、患者等がカルテの内容を確認することができる電子カルテシステムを実現している。
【００９６】
情報表示装置１は、ＰＣによって構成されており、ＣＰＵ等であり各構成部の動作を制御する制御部１０と、ハードディスク等である記録部１１と、ＲＡＭ等のメモリを有する一時記憶領域１２と、液晶パネル等を有する表示部１４と、キーボード、マウス等を有する入力部１５と、記録装置２と通信線３を通信する通信部１６とを備える。
【００９７】
情報表示装置１の記録部１１には、ＰＣに本発明に係る情報表示方法を実施させるための制御プログラム１Ｐが記録されている。情報表示装置１の制御部１０は、記録部１１から制御プログラム１Ｐを一時記録領域に読み出して実行することにより、各構成を制御してＰＣを情報表示装置１として動作させる。
【００９８】
また、情報表示装置１の記録部１１には、制御部１０が表示部１４により文字及び／又は画像を表示させる際の表示形態の各要素のパラメータが記録されている。記録部１１に記録してある表示形態は、実施の形態１及び２における情報表示装置１の記録部１１に記録されていた表示形態と同様であるので（図２参照）詳細な説明を省略する。さらに記録部１１には、健康情報と、制御部１０が表示部１４により文字及び／又は画像を表示させる際の表示形態との対応関係を示す対応テーブル１１１が記録されている。記録部１１に記録されている対応テーブル１１１は、実施の形態２における情報表示装置１の記録部１１に記録されてた対応テーブル１１１と同様であるので（図８及び図９参照）、詳細な説明を省略する。制御部１０は記録部１１に記録されている対応テーブル１１１を参照して、健康情報に対応する表示形態を決定することができる。
【００９９】
情報表示装置１の一時記憶領域１２には、制御部１０の処理によって一時的に発生する各種情報が記憶される。
【０１００】
表示部１４は液晶パネルを有しており、制御部１０は表示部１４に文字及び／又は画像を表示させることができる。
【０１０１】
入力部１５は、キーボード、マウス等を有しており、ユーザは入力部１５を介してユーザの識別情報を入力することができる。制御部１０は、入力部１５によりユーザの識別情報が入力されることを検知し、入力部１５により入力されたユーザの識別情報を取得することができる。
【０１０２】
情報表示装置１の通信部１６は、通信線３を介して記録装置２とのデータ通信を実現する。制御部１０は、入力部１５を介して取得したユーザの識別情報を通信部１６により送信し、後述の記録装置２から送信される健康情報を通信部１６により受信して取得する。
【０１０３】
記録装置２は、サーバコンピュータで構成されており、ＣＰＵ等であり各構成部の動作を制御する制御部２０と、ハードディスク等である記録部２１と、ＲＡＭ等のメモリを有する一時記憶領域２２と、情報表示装置１と通信線３を介して通信する通信部２３とを備える。
【０１０４】
記録装置２の記録部２１には、ユーザの健康情報として電子カルテ２１１が電子的にデータベースに記録されている。制御部２０は、記録部２１の電子カルテ２１１からユーザの識別情報に対応する健康情報をを読み出すことができる。電子カルテ２１１には、ユーザの氏名、年齢、各種検査の結果、病歴、治療歴等の健康情報が含まれている。
【０１０５】
記録装置２の一時記憶領域２２には、制御部２０の処理によって一時的に発生する各種情報が記憶される。
【０１０６】
記録装置２の通信部２３は、通信線３を介して情報表示装置１とのデータ通信を実現する。制御部２０は、情報表示装置１から送信されるユーザの識別情報を通信部２３により受信し、記録部２１からユーザの識別情報に対応する健康情報を電子カルテ２１１から読み出して通信部２３により送信する。
【０１０７】
図２、図８及び図９の説明図に示したような表示形態と、健康情報の内容に対応付けられた表示形態との対応テーブル１１１を用い、情報表示装置１の制御部１０が、記録装置２から送信される健康情報を受信することによって取得した健康情報に対応させた表示形態を設定して情報を表示する処理について説明する。
【０１０８】
図１２は、実施の形態３における情報表示装置１が記録装置２から送信される健康情報を取得し、健康情報に対応させて表示形態を設定する際の情報表示装置１及び記録装置２の処理手順の例を示すフローチャートである。
【０１０９】
情報表示装置１の制御部１０は、例えば医師、看護士等が情報表示装置１で患者にカルテの内容を表示させるために、患者（ユーザ）の識別情報を情報表示装置１の入力部１５により入力した場合に、これを検知して以下の処理を実行する。
【０１１０】
情報表示装置１の制御部１０は入力部１５により入力されたユーザの識別情報を取得し（ステップＳ６１）、取得したユーザの識別情報を通信部１６により記録装置２へ送信する（ステップＳ６２）。
【０１１１】
記録装置２の制御部２０は、情報表示装置１から送信されたユーザの識別情報を通信部２３により受信し（ステップＳ６３）、記録部２１を参照して受信したユーザの識別情報に対応する健康情報を電子カルテ２１１から読み出し（ステップＳ６４）、情報表示装置１へ通信部２３により送信する（ステップＳ６５）。
【０１１２】
情報表示装置１の制御部１０は、記録装置２から送信された健康情報を通信部１６により受信し（ステップＳ６６）、記録部１１に記録されている対応テーブル１１１を参照して受信した健康情報に対応する表示形態を読み出す（ステップＳ６７）。情報表示装置１の制御部１０は、ステップＳ６７で読み出した表示形態に従って文字及び／又は画像を表示部１４により表示し（ステップＳ６８）、処理を終了することによって電子カルテ２１１の情報を表示する。
【０１１３】
図１３は、実施の形態３における情報表示装置１の制御部１０の処理により、表示部１４に表示される情報の表示例の説明図である。
【０１１４】
実施の形態３における電子カルテシステムを利用する医師は、検査、診療後に患者に対してインフォームドコンセプトを実施する場合、本発明に係る情報表示装置１の入力部１５に患者（ユーザ）の識別情報を入力し、電子カルテ２１１の情報を情報表示装置１の表示部１４に表示させる。
【０１１５】
図１３（ａ）は、表示形態が標準に設定された場合（識別番号が全て３に設定された場合）の表示例であり、図１３（ｂ）は、６７歳の年齢と色覚異常の病歴とを含む健康情報に対応付けられている表示形態に設定された場合の表示例である。
【０１１６】
図１３（ｂ）の表示例では、図１３（ａ）の表示例と比較して、文字の大きさ（サイズ）が大きく、文字の太さ（コントラスト）も太く、文字の色が赤に設定されている。これは、健康情報に含まれる年齢が６１歳から７０歳の間に相当することにより、図８の内容例に示した対応テーブル１１１が参照されて、対応する表示形態が読み出され、それに従って表示されているからである。さらに、健康情報に色覚異常が含まれていることにより、図９の内容例に示した対応テーブル１１１が参照されて、対応する表示形態が読み出され、それに従って表示されているからである。
【０１１７】
図１３（ｂ）の表示例の場合、情報表示装置１の表示部１４には、６７歳の年齢と色覚異常の病歴とを含む健康情報に対応付けられている表示形態に従って、文字の大きさは１４Ｐ（ポイント）、文字の太さ（コントラスト）は（中太）、文字の色（色調）は赤、描画速度は「２ｃｍ／ｓ」、かな補助は「辞書１」（常用漢字）で症状、治療方針及び既往歴が情報として表示されている。
【０１１８】
上述のような構成により、本発明に係る情報表示方法を実施する情報表示方法は、予め記録された年齢、視力、色覚夫々に応じて対応テーブル１１１によって対応付けられている文字の大きさ、文字の色、かなの割合、背景色、コントラスト、描画速度に従って、文字及び／又は画像を表示することができ、ユーザ個々にとって情報を観易く表示することができる。
【０１１９】
なお、本発明に係る情報表示方法は、文字情報を表示することができるデジタル放送に準じたテレビジョン装置に適用することも可能である。テレビジョン装置を使用するユーザの健康情報を登録しておくか、又はユーザの健康情報が記録されたＩＣカードから健康情報を取得することにより、ユーザ個人の健康情報に応じた表示形態で文字の大きさ、色、文字の移動速度等を変更することができる。
【０１２０】
なお、実施の形態１乃至３では、情報表示装置の制御部が表示部で情報を表示する際に設定する表示形態の各要素は、図２の説明図に示したように文字の大きさ（サイズ）、コントラスト（文字の太さ）、文字の色（色調）、描画速度、かなの割合（辞書）が例として挙げられている。しかしながら、本発明はこれに限らず、情報表示装置の制御部は、画像を表示する際に健康情報に含まれる年齢が例えば７１歳以上である場合は、拡大して表示部に表示させるようにしてもよい。また、情報表示装置の制御部は、健康情報に含まれる視力が例えば近視である場合は、拡大して表示部に表示させるようにしてもよい。さらに、情報表示装置の制御部は、表示部に情報を表示させる際に健康情報に含まれる年齢が１２歳以下である場合に、背景色を例えば白からクリーム色に設定するようにしてもよい。また、設定する表示形態の要素は上述したものに限らない。
【０１２１】
以上の実施の形態に関し更に、以下の付記を開示する。
【０１２２】
（付記１）
文字及び／又は画像を表示装置に表示させる情報表示方法において、
文字及び／又は画像を表示する際の表示形態を年齢、視力、色覚を含む健康情報に対応させて予め設定し、
前記表示装置の利用者の健康情報を取得し、
取得した健康状態に対応した表示形態で前記表示装置に情報を表示させる
ことを特徴とする情報表示方法。
【０１２３】
（付記２）
前記健康情報に含まれる年齢、視力、色覚の内のいずれか一又は複数に対応させて、前記表示形態としての文字の大きさ、文字の色、背景色、コントラスト、画像の大きさ、描画速度の内のいずれか一又は複数を設定する
ことを特徴とする付記１に記載の情報表示方法。
【０１２４】
（付記３）
前記健康情報に含まれる年齢、視力、色覚の内のいずれか一又は複数に対応させて、前記表示形態としてのかなの割合を設定する
ことを特徴とする付記２に記載の情報表示方法。
【０１２５】
（付記４）
前記健康情報には病名が含まれており、
前記健康情報に含まれる病名が特定の病名であるか否かを判断し、
特定の病名であると判断した場合、前記病名に対応させて前記表示形態としての文字の大きさ、文字の色、かなの割合、背景色、コントラスト、画像の大きさ、描画速度の内のいずれか一又は複数を設定する
ことを特徴とする付記１乃至３のいずれかに記載の情報表示方法。
【０１２６】
（付記５）
表示形態と健康情報との対応関係として、健康情報に含まれる年齢、視力、色覚の夫々と、文字の大きさ、文字の色、かなの割合、背景色、コントラスト、画像の大きさ、描画速度との対応関係を用いる
ことを特徴とする付記１乃至４のいずれかに記載の情報表示方法。
【０１２７】
（付記６）
文字及び／又は画像を表示手段に表示する情報表示装置において、
文字及び／又は画像を表示する際の表示形態を年齢、視力、色覚を含む健康情報に対応させて予め設定する設定手段と、
健康情報を取得する手段と
を備え、
設定した健康情報に対応した表示形態を前記設定手段により設定し、設定した表示形態で前記表示手段に情報を表示させるようにしてあること
を特徴とする情報表示装置。
【０１２８】
（付記７）
前記健康情報に含まれる年齢、視力、色覚の内のいずれか一又は複数に対応させて、前記表示形態としての文字の大きさ、文字の色、かなの割合、背景色、コントラスト、画像の大きさ、描画速度の内のいずれか一又は複数を設定するようにしてあること
を特徴とする付記６に記載の情報表示装置。
【０１２９】
（付記８）
文字及び／又は画像を表示手段に表示する情報表示装置と、年齢、視力、色覚を含む健康情報を記録する記録部を備える記録装置とを含む画像表示システムにおいて、
前記記録装置は、
前記健康情報を送信する手段を備え、
前記情報表示装置は、
前記記録装置から送信される健康情報を受信する手段と、
文字及び／又は画像を表示する際の表示形態を、受信した健康情報に対応させて設定する手段と
を備え、
設定した表示形態で前記表示手段に情報を表示させるようにしてあること
を特徴とする情報表示システム。
【０１３０】
（付記９）
文字及び／又は画像を表示手段に表示する情報表示装置、及びユーザの識別情報と、該ユーザの識別情報毎の年齢、視力、色覚を含む健康情報との対応関係を記録する記録部を備える記録装置を含む画像表示システムにおいて、
前記記録装置は、
前記記録部に前記健康情報と、文字及び／又は画像を表示する際の表示形態との対応関係を記録してあり、
前記情報表示装置から送信される識別情報を受信する手段と、
受信した識別情報に対応する健康情報と対応関係にある表示形態を送信する手段と
を備え、
前記情報表示装置は、
ユーザの識別情報を取得する手段と、
取得した識別情報を前記記録装置へ送信する手段と、
前記記録装置から送信される前記表示形態を受信する手段と
文字及び／又は画像を表示する際の表示形態を、受信した表示形態に設定する手段と
を備え、
設定した表示形態で前記表示手段に情報を表示させるようにしてあること
を特徴とする情報表示システム。
【０１３１】
（付記１０）
前記記録部には、健康情報に含まれる年齢、視力、色覚と、文字の大きさ、文字の色、かなの割合、背景色、コントラスト、描画速度との対応関係が記録されてあること
を特徴とする付記９に記載の情報表示システム。
【０１３２】
（付記１１）
文字及び／画像を表示する表示手段を備えるコンピュータに、各種情報を表示させるコンピュータプログラムにおいて、
コンピュータを、
表示手段で文字及び／又は画像を表示する際の表示形態を年齢、視力、色覚を含む健康情報に対応させて決定する手段、及び
決定した表示形態を前記表示手段に設定する手段
として機能させることを特徴とするコンピュータプログラム。
【図面の簡単な説明】
【０１３３】
【図１】実施の形態１における情報表示装置の構成を示すブロック図である。
【図２】実施の形態１における情報表示装置の記録部に記録されている表示形態の内容例を示す説明図である。
【図３】実施の形態１における情報表示装置の制御部が、取得した健康情報に対応させて表示形態を設定する処理手順の例を示すフローチャートである。
【図４】実施の形態１における情報表示装置の制御部が、取得した健康情報に含まれる年齢に対応させて表示形態を設定する処理手順の例を示すフローチャートである。
【図５】実施の形態１における情報表示装置の制御部が、取得した健康情報に含まれる視力に対応させて表示形態を設定する処理手順の例を示すフローチャートである。
【図６】実施の形態１における情報表示装置の制御部が、取得した健康情報に含まれる色覚に対応させて表示形態を設定する処理手順の例を示すフローチャートである。
【図７】実施の形態２における情報表示装置の構成を示すブロック図である。
【図８】実施の形態２における情報表示装置の記録部に記録されている対応テーブルの内容例を示す説明図である。
【図９】実施の形態２における情報表示装置の記録部に記録されている対応テーブルの内容例を示す説明図である。
【図１０】実施の形態２における情報表示装置の制御部が、取得した健康情報に対応させて表示形態を設定する処理手順の例を示すフローチャートである。
【図１１】実施の形態３における情報表示システムの構成を示すブロック図である。
【図１２】実施の形態３における情報表示装置が記録装置から送信される健康情報を取得し、健康情報に対応させて表示形態を設定する際の情報表示装置及び記録装置の処理手順の例を示すフローチャートである。
【図１３】実施の形態３における情報表示装置の制御部の処理により、表示部に表示される情報の表示例の説明図である。
【符号の説明】
【０１３４】
１  情報表示装置
２  記録装置
１０，２０  制御部
１１，２１  記録部
１１１  対応テーブル
１Ｐ  制御プログラム
【図１】
2008225794.tif 000003
【図２】
2008225794.tif 000004
【図３】
2008225794.tif 000005
【図４】
2008225794.tif 000006
【図５】
2008225794.tif 000007
【図６】
2008225794.tif 000008
【図７】
2008225794.tif 000009
【図８】
2008225794.tif 000010
【図９】
2008225794.tif 000011
【図１０】
2008225794.tif 000012
【図１１】
2008225794.tif 000013
【図１２】
2008225794.tif 000014
【図１３】
2008225794.tif 000015